(57)【要約】本発明には、小分子団水の製造方法が開示されている。この方法では、まず、処理対象とする水に、放電孔が開口された金属リングを入れ、次に、金属リングの側面には交番磁界を印加することで、金属リングの放電孔に放電現象が生じ、水の大分子団を小分子団に細分化する。同時に、被処理水を載せる非導磁容器と、金属リングと、交番界磁コイルとを含み、金属リングが非導磁容器内にセットされ、金属リングには放電孔が開口され、交番界磁コイルは、金属リングの側面に交番磁界を印加するように、金属リング側面に位置する非導磁容器の外側に設けられる、という上記方法を用いた小分子団水の製造装置が開示されている。本発明によれば、従来より製造方法が簡素化され、製造周期が短縮され、構造が簡単になり、水のサンプルの170 NMRハーフピーク幅の数値が低くなり、水の口当たりがとてもよく、非常にスルスルとして、溶解能力が高く、小分子団水の製造コストが効率よく低減され、工業上の応用や展開に有利である。
2016526483.tif 000002
【特許請求の範囲】
【請求項１】
まず、処理対象とする水に、放電孔（２）が開口された金属リング（１）を入れ、次に、金属リング（１）の側面に交番磁界を印加することで、金属リング（１）の放電孔（２）に放電現象を生じ、水の大分子団を小分子団に細分化し、交番磁界を生じる交番界磁コイル（４）は、金属リング（１）の側面に交番磁界を印加するように、金属リング側面に位置し被処理水を載せる非導磁容器（３）の外側に設けられることを特徴とする小分子団水の製造方法。
【請求項２】
前記金属リング（１）は、首尾が切断された金属切断リング、又は首尾が連続されている金属円形リングであることを特徴とする請求項１に記載の小分子団水の製造方法。
【請求項３】
前記金属リング（１）の上端横断面又は／及び下端横断面には、放電孔（２）が開口されている端蓋が設けられたことを特徴とする請求項２に記載の小分子団水の製造方法。
【請求項４】
被処理水を載せる非導磁容器（３）と、金属リング（１）と、交番界磁コイル（４）とを備え、金属リング（１）は非導磁容器（３）内にセットされ、金属リング（１）には放電孔（２）が開口され、交番界磁コイル（４）は、金属リング（１）の側面に交番磁界を印加するように、金属リング（１）側面に位置する非導磁容器（３）の外側に設けられることを特徴とする請求項１に記載の方法を用いた小分子団水の製造装置。
【請求項５】
前記金属リング（１）は、首尾が切断された金属切断リング、又は首尾が連続されている金属円形リングであることを特徴する請求項４に記載の小分子団水の製造装置。
【請求項６】
前記金属リング（１）の上端横断面又は／及び下端横断面には、放電孔（２）が開口されている端蓋が設けられることを特徴する請求項５に記載の小分子団水の製造装置。
【請求項７】
前記放電孔（２）の形状は、円形、方形、又は楕円形であることを特徴する請求項５又は６に記載の小分子団水の製造装置。
【請求項８】
前記金属リング（１）は非導磁容器（３）の内側壁に付着していることを特徴する請求項７に記載の小分子団水の製造装置。
【請求項９】
前記非導磁容器（３）の外側には、交番界磁コイル（４）を固定して取り付けるためのブラケット（５）が設けられていることを特徴する請求項８に記載の小分子団水の製造装置。
【請求項１０】
前記交番界磁コイル（４）は、非導磁容器（３）の外側壁に付着していることを特徴する請求項８に記載の小分子団水の製造装置。
【発明の詳細な説明】
【技術分野】
【０００１】
本発明は小分子団水の製造分野に関し、特に、小分子団水の製造方法及び該方法を用いた小分子団水の製造装置に関する。
【背景技術】
【０００２】
現在、化工及び物理工業の広い分野において、小分子団水は、常態水よりも分子団が小さいため、良い溶剤溶解力及び浸透力を有する。そのため、人々は、ますます小分子団水を生産原料とすることを重視し、特に化粧品と工業ガソリン分野では、様々な工夫をして、小分子団水を製造する便利、簡単な方法を探している。しかし、水の大分子団を小分子団に細分化する方法は複雑で、通常、数十の工程によって、各工程中に種々の化工原料及び設備機器が必要であるため、製造工程も複雑になり、それに伴って小分子団水の製造設備の構造も複雑になり、製造コストが非常に高くなるので、小分子団水で製造された工業完成品は価格が高い状態となっており、幅広く利用するのは困難であり、応用や展開の面で大きな制約が受けられている。
【先行技術文献】
【特許文献】
【０００３】
【特許文献１】中国実用新案公告第２０３５６１０４２号明細書
【特許文献２】中国特許出願公開第１０３３５１０４２号明細書
【特許文献３】中国特許出願公開第１０３４０８１１３号明細書
【特許文献４】中国特許出願公開第１０３４０８１０４号明細書
【発明の概要】
【発明が解決しようとする課題】
【０００４】
本発明は、従来技術の不足を克服し、製造方法を大幅に簡素化し、製造構造が簡単で、磁化効果も優れて、製造コストが低い小分子団水の製造方法及び該方法を用いる小分子団水の製造装置を提供することを目的としている。
【課題を解決するための手段】
【０００５】
本発明の目的は、まず、処理対象とする水に、放電孔が開口された金属リングを入れ、次に、金属リングの側面には交番磁界を印加することで、金属リングの放電孔に放電現象を生じ、水の大分子団を小分子団に細分化し、交番磁界を生じる交番界磁コイルは、金属リングの側面に交番磁界を印加するように、金属リング側面に位置し被処理水を載せる非導磁容器の外側に設けられた、小分子団水の製造方法によって達成された。
【０００６】
上記形態において、該製造方法の金属リングは、首尾が切断された金属切断リングであり、又は、該製造方法の金属リングは、首尾が連続されている金属円形リングであることが好ましい。
【０００７】
さらに、前記金属リングの上端横断面又は /及び下端横断面には、放電孔が開口された端蓋が設けられた。
【０００８】
そのうち、上記方法に用いられた小分子団水の製造装置は、被処理水を載せる非導磁容器と、金属リング及び交番界磁コイルとを備え、放電孔が開口された金属リングは非導磁容器内にセットされ、交番界磁コイルは、金属リングの側面に交番磁界を印加するように、金属リング側面に位置する非導磁容器の外側に設けられた。
【０００９】
上記小分子団水製造装置によれば、金属リングは、首尾が切断された金属切断リング、又は首尾が連続されている金属円形リングである。
【００１０】
さらに、前記金属リングの上端横断面又は /及び下端横断面には、放電孔が開口された端蓋が設けられた。
【００１１】
上記形態において、前記放電孔の形状は、円形、方形、又は楕円形であることが好ましい。
【００１２】
上記形態において、前記金属リングは非導磁容器の内側壁に付着されていることが好ましい。
【００１３】
上記形態において、前記非導磁容器の外側には、交番界磁コイルを固定して取り付けるためのブラケットが設けられていることが好ましい。
【００１４】
上記形態において、前記交番界磁コイルは非導磁容器の外側壁に付着されていることが好ましい。
【００１５】
本発明の新しい有益効果として、まず、処理対象とする水に、放電孔が開口された金属リングを入れ、次に、金属リングの側面には交番磁界を印加することで、金属リングの放電孔に放電現象を生じ、水の大分子団を小分子団に細分化することにより、製造方法が効率よく簡素化され、作業周期が短縮され、作業効率が向上された。なお、該方法に採用されたのは、被処理水を載せる非導磁容器と、非導磁容器内にある金属リングと、磁界を印加する交番界磁コイルとの構造組合わせによって、水の大分子団を小分子団に細分化することが達成された設定である。その構造が簡単で、水のサンプルの170 NMRハーフピーク幅の数値が低く、水の口当たりがとてもよく、非常にスルスルとして、溶解能力が高く、小分子団水の製造コストが効率よく低減され、工業上の応用や展開に有利である。
【図面の簡単な説明】
【００１６】
【図１】本発明の実施例の構造概要図である。
【図２】本発明の実施例の金属リングの展開図である。
【図３】本発明の実施例の金属リングである金属切断リングの上面図である。
【図４】本発明の実施例の金属リングである金属円形リングの上面図である。
【発明を実施するための形態】
【００１７】
以下、本発明について、図面に基づいて更に説明する。
【００１８】
図１乃至図４を参照し、本発明に係る小分子団水の製造方法では、まず、処理対象とする水に放電孔２が開口された金属リング１を入れ、次に、金属リング１の側面には交番磁界を印加することで、金属リング１の放電孔２に放電現象を生じ、水の大分子団を小分子団に細分化し、交番磁界を生じる交番界磁コイル４は、金属リング1の側面に交番磁界を印加するように、金属リング側面に位置し被処理水を載せる非導磁容器３の外側に設けられた。これにより、製造プロセスが簡素化され、製造周期が短縮され、生産性が向上された。
【００１９】
上記の製造方法において、前記金属リング1は、首尾が切断された金属切断リングであることが好ましく、短リングの正負電位がリングの切口の両端にあり、リングに沿った周方向の誘導電流が形成される。周方向の誘導電流は、図２のように径方向に放電孔２を通過する流れ方向の電流を生じるので、放電孔２の放電現象が更に明らかになる。或いは、該製造方法の金属リング１は、首尾が連続された金属円形リングであり、リング内の正負電位がリングの内面及び外面に位置し、誘導電流がリングの一方の側面から他方の側面へ流れる。誘導電流は、軸方向に放電孔２を通過し、同様に放電現象を生じることができる。実際の応用に応じて、該製造方法の金属リング1は、首尾が連続された金属円形リングであることが好ましいが、磁界が印加された場合に、首尾が切断された金属切断リング周りの電位差が、首尾が連続されている上下間の電位差よりも強くなり、金属切断リングの放電孔の放電効果がより良い。
【００２０】
この間に、金属リング1の上端横断面又は/及び下端横断面には、放電孔２が開口された端蓋が設けられることで、金属リング１の端面にも放電現象が同時に生じることが実現され、さらに、側面と上、下端断面に立体的な放電現象が生じることが実現され、大分子団水から小分子団水への転化が加速された。上端横断面、下端横断面の位置が図１のように示され、図面には端蓋が描かれていない。同時に、該端蓋は、如何なる放電孔２が設けられずに、蓋のみとして機能することもできる。
【００２１】
上記の小分子団水の製造方法によって得られた小分子団水を測定して、以下のような測定報告が得られた。
【００２２】
【表１】
2016526483.tif 000003
【００２３】
上記測定報告から、以下のことが分かった。１．パラメーターが170 NMRハーフピーク幅の５４ＨＺの小分子団水が得られた。国内外の水のサンプル測定データ/報告によると、170 NMRハーフピーク幅が８０ＨＺまで小さくなると、物態が安定している小分子団水であると考えられる。よって、上記の方法によって得られた水のサンプルが、十分に安定している小分子団水である。２．該方法によって得られる小分子団水の溶解性固体の合計含有量は１６６．６ｍｇ／Ｌである（注：溶解性固体の合計量と飲用水の味の関係として、とても良い（３００ｍｇ／Ｌ未満);良い（３００〜６００ｍｇ／Ｌ)；一般（６００〜９００ｍｇ／Ｌ);悪い（９００〜１２００ｍｇ／Ｌ);飲用できない（１２００ｍｇ／Ｌを超える)）。これにより、この水の口当たりがとてもよく、非常にスルスルとしているため、小分子団水の特性を有する。３．この水のサンプルは、測定される前に通常の水道水である。通常の水道水の溶解性固体の合計含有量は淡水値に近く、即ち、１００ｍｇ／Ｌ未満となっている。この方法によって得られた水の小分子団水の溶解性固体の合計含有量は１６６．６ｍｇ／Ｌである。このため、この方法によって得られた小分子団水の溶解能力は大幅に向上され、小分子団水の高溶解能力の特性も満たしている。
【００２４】
しかし、図１〜図４に示されるように、上記の小分子団水の製造方法を用いた小分子団水の製造装置は、被処理水を載せる非導磁容器３と、金属リング１と、交番界磁コイル４とを含み、金属リング１は非導磁容器３内にセットされ、金属リング１には放電孔２が開口され、交番界磁コイル４は金属リング１側面に位置する非導磁容器３の外側に設けられ、金属リング１の側面に交番磁界を印加するように構成されている。そのうち、該金属リング１は、首尾が切断された金属切断リングにされても良い。図３に示されるように、短リングの正負電位がリングの切口の両端にあり、リングの周方向の誘導電流が形成されている。この図の矢印のように、周方向の誘導電流は、図２のように径方向に放電孔２を通過する流れ方向の電流を生じた。よって、放電孔２の放電現象がより明らかになる。或いは、金属リング１も、首尾が接続する金属円形リングに設けられてもよい。図４に示されるように、リング内の正負電位がリングの内面と外面にあり、誘導電流がリングの一方の側面から他方の側面に流れている。この図の矢印のように、誘導電流が軸方向に放電孔２を通過し、同様に放電現象を生じることができる。交番磁界が印加されると金属リング１に電位差を有するようになり、放電孔２を介して電位差を有する金属リング１が直接に正電荷を水分子に与え、これにより、水の大分子団水を小分子団水に細分化し、普通の水から小分子団水を製造することが実現された。この複数の放電孔２の形状は、円形、方形、又は楕円形等であってもよく、実際の需要に応じて選択することができる。
【００２５】
この間に、金属リング１の上端横断面又は/及び下端横断面には、放電孔２が開口された端蓋が設けられ、これによっても、金属リング１の端面に放電現象が同時に生じることが実現され、且つ側面と上、下端断面に立体的な放電現象が生じることが実現され、大分子団水から小分子団水への転化が加速された。上端横断面、下端横断面の位置は図１のように示される。図には端蓋が描かれていない。同時に、該端蓋は、如何なる放電孔２が設けられずに蓋のみとして機能されても良い。
【００２６】
上記の製造装置において、前記金属リング１は非導磁容器３の内側壁に付着し、非導磁容器３の外側には交番界磁コイル４を固定して取り付けるためのブラケット５が設けられ、前記交番界磁コイル４は非導磁容器３の外側壁に付着することが好ましい。
【００２７】
実際の応用に応じて、前記の金属リング１と交番界磁コイル４の設置形態は以下のような複数の形態がある。１．金属リング１は自由に非金属容器のキャビティにセットされ、交番界磁コイル４は非導磁容器３の外側壁に付着している。２．金属リング１は自由に非金属容器のキャビティにセットされ、交番界磁コイル４はブラケット５に固定して取り付けられている。３．金属リング１は非導磁容器３の内側壁に付着し、交番界磁コイル４は非導磁容器３の外側壁に付着している。４．金属リング１は、非導磁容器３の内側壁に付着し、交番界磁コイル４はブラケット５に固定して取り付けられている。本発明の好ましい形態として、金属リング１は自由に非金属容器のキャビティにセットされ、交番界磁コイル４はブラケット５に固定して取り付けられている。図１に示されるように、金属リング１を非導磁容器３の水と完全に接触すると、交番界磁コイル４と金属リング１との間に相互誘導で接続された磁力線の強度が弱くなることが効率よく避けられ、磁界効果が効率よく向上された。
【００２８】
即ち、小分子団製造方法を用いた製造装置の具体的な操作原理について、まず、金属リング１を、非導磁容器３に載せられた水に放置して、その後、交番磁界を印加し、普通の方法として、２２０Ｖ，５０ＨＺの工業頻度の交流電を大電力の電子発振回路で１５００Ｖ，２５０００ＨＺの超可聴周波の交流電に転化し、更に、交番界磁コイル４を用い、即ち、ファラデーの法則を用い、超音波振動効果を果たす交番電磁界が生じるようにして、磁力線が非導磁容器３を透過して、金属リング１の表面に強大な誘導スワール流の電流が生じ、強い電位差が生じ、かつ、金属リング１に設けられた若干の放電孔２の作用によって、金属リング１の表面断層のスワール流の電流が瞬間の極性電池効果が生じ、正電荷を水分子のＯ２−酸素イオン、負電荷を水分子のＨ＋水素イオンに直接に伝達し、電気エネルギーの交換により、水分子を電解反応させ、微量のＯ２，Ｈ２，ＨＯ２，Ｏ３，Ｏ２等の物質が生じ、同時に、超音波周波数の交番磁力線によって非導磁容器３１の水に対し励起・磁化処理が行われ、水分子Ｈ２０の酸水素Ｈ−Ｏ化学結合の挟み角を普通水の１０５°から１０３°に変化し、小分子団水が生じた。
【００２９】
上記の小分団水の製造装置によって製造された小分子団水は、普通水の大分子団水よりも浸透・溶解能力が６３％増大し、その水分子の表面張力が低下され、粘度も下がり、還元性が迅速に強くなり、水の酸素含有量が顕著に増加され、形成された水分子団の状態が普通水の５０−６０個のＨ２Ｏから５−１０個のＨ２Ｏに減少され、直径が２ｎｍ(ナノメートル）よりも小さく、運動速度が速く、浸透及び溶解能力が強く、及び、金属リング１の表面に強大な誘導スワール流の電流が生じたため、金属リング１の金属分子が振動状態になり、迅速に摩擦して発熱することで、水の塩素、フッ素等などの有害な元素が除去され、消毒滅菌の効果が果たされている。このように、従来技術における小分子団水の製造方法が複雑化するという問題が解決された上、小分団水の製造装置の構造が簡素化され、コスト投入が大幅に低減され、コストがより安い小分子団水の製造に有利である。
【００３０】
上記の具体的な実施例は、本発明の効果が良く発揮されたものだけである。本構造と同様又は同等の小分子団水の製造装置及びその製造方法は、すべて本願の保護範囲に含まれている。
【図３】
2016526483.tif 000004
【図４】
2016526483.tif 000005
【図１】
2016526483.tif 000006
【図２】
2016526483.tif 000007
【国際調査報告】
2016526483.tif 000008
2016526483.tif 000009
2016526483.tif 000010
2016526483.tif 000011
2016526483.tif 000012
2016526483.tif 000013